(57)【要約】    クレジットデリバティブトレーディングシステムは、クレジットデリバティブについての指定されたポジションを受信し、特定のクレジットデリバティブについてのマーケットに動きがあった時にはいつでもリアルタイムに複数のトレーダークライアントをアップデートするように構成されたクレジットデリバティブ局を備える。クレジットデリバティブトレーディングシステムは、また、トレーダークライアントが特定の参照組織についてのクレジットデリバティブ情報を指定し、受信して、クレジットデリバティブ情報が表示されてポートフォリオベースに追跡される参照組織のポートフォリオを生成できるようにする。
2006515697.tif 000002
【特許請求の範囲】
【請求項１】
クレジットデリバティブ局であって、
複数の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに任意の複数の参照組織に関するサーチクライテリアを受信させ、そのサーチクライテリアに基づいて、その任意の参照組織に関するクレジットデリバティブ情報をそのデータベースから取得させ、そのデータベースから取り出されたクレジットデリバティブ情報を表示させる
ことを特徴とするクレジットデリバティブ局。
【請求項２】
請求項１に記載のクレジットデリバティブ局において、
受信されたサーチクライテリアは、クレジットデリバティブ情報がデータベースから取得される参照組織の識別子を含む
ことを特徴とするクレジットデリバティブ局。
【請求項３】
請求項１に記載のクレジットデリバティブ局において、
受信されたサーチクライテリアは、一つの参照組織に関するクレジットデリバティブを含む、少なくとも一つのビッド、オファー、またはトレードに関する時系列情報の要求を含み、
その指示は、さらに、プロセッサに、要求された時系列情報を取り出して、要求された時系列情報を表示させる
ことを特徴とするクレジットデリバティブ局。
【請求項４】
請求項３に記載のクレジットデリバティブ局において、
要求された時系列情報は、その時系列情報が要求される日付の特定を含む
ことを特徴とするクレジットデリバティブ局。
【請求項５】
請求項１に記載のクレジットデリバティブ局において、
受信されたサーチクライテリアは、ある参照組織に関するクレジットデリバティブについての、１日のうちの価格動向情報の要求を含み、
その指示は、さらに、プロセッサに、要求された１日のうちの価格動向情報を取り出させ、要求された１日のうちの価格動向情報を表示させる
ことを特徴とするクレジットデリバティブ局。
【請求項６】
請求項１に記載のクレジットデリバティブ局において、
受信されたサーチクライテリアは、ある参照組織に関するクレジットデリバティブについての、価格履歴情報の要求を含み、
その指示は、さらに、プロセッサに、要求された価格履歴情報を取り出させ、要求された価格履歴情報を表示させる
ことを特徴とするクレジットデリバティブ局。
【請求項７】
請求項６に記載のクレジットデリバティブ局において、
受信されたサーチクライテリアは、その価格履歴情報のグラフィック形式での表示要求を含み、
その指示は、さらに、プロセッサに、要求された価格情報をグラフィック形式で表示させる
ことを特徴とするクレジットデリバティブ局。
【請求項８】
請求項６に記載のクレジットデリバティブ局において、
受信されたサーチクライテリアは、同じクレジット格付けまたは同じ産業の複数の参照組織に関するクレジットデリバティブについての価格履歴情報の要求を含む
ことを特徴とするクレジットデリバティブ局。
【請求項９】
請求項１に記載のクレジットデリバティブ局において、
受信されたサーチクライテリアは、データベースからのクレジットデリバティブ情報の取り出しを、少なくとも一つの公示日、取引情報、債務レベル、ビッドまたはオファーに基づくものに限定する要求を含む
ことを特徴とするクレジットデリバティブ局。
【請求項１０】
請求項１に記載のクレジットデリバティブ局において、
その指示は、さらに、プロセッサに、価格履歴情報が要求される参照組織の選択を受信させるように構成され、
その参照組織の選択は、少なくとも一つの領域、クレジット格付け、または産業に基づいている
ことを特徴とするクレジットデリバティブ局。
【請求項１１】
請求項１に記載のクレジットデリバティブ局において、
受信されたサーチクライテリアは、ある産業内の参照組織、クレジット格付けに基づくある参照組織、地理上の領域に基づくある参照組織、または、上記の任意の組み合わせといった、複数の参照組織に関するクレジットデリバティブについての価格履歴情報を経時的にグラフ化し、比較する要求を含む
ことを特徴とするクレジットデリバティブ局。
【請求項１２】
請求項１に記載のクレジットデリバティブ局において、
受信されたサーチクライテリアは、データベース中に価格情報が蓄積された全ての参照組織に関するクレジットデリバティブについての価格情報の要求を含む
ことを特徴とするクレジットデリバティブ局。
【請求項１３】
請求項１２に記載のクレジットデリバティブ局において、
受信されたサーチクライテリアは、価格情報の要求を、地理上の領域、産業またはクレジット格付けに基づくものに限定する要求を含む
ことを特徴とするクレジットデリバティブ局。
【請求項１４】
請求項１に記載のクレジットデリバティブ局において、
受信されたサーチクライテリアは、特定の期間と、関係するクレジットデリバティブの価格がその特定の期間中に上昇するか下降する参照組織についてのクレジットデリバティブ情報の要求を含む
ことを特徴とするクレジットデリバティブ局。
【請求項１５】
クレジットデリバティブ情報追跡方法であって、
複数の参照組織に関するサーチクライテリアを受信し、
そのサーチクライテリアに基づいて、任意の参照組織に関するクレジットデリバティブ情報を取得し、
データベースから取り出されるクレジットデリバティブ情報を表示する
ことを特徴とするクレジットデリバティブ情報追跡方法。
【請求項１６】
請求項１５に記載のクレジットデリバティブ情報追跡方法において、さらに、
クレジットデリバティブ情報がデータベースから取得される参照組織の識別子を含むサーチクライテリアを受信する
ことを特徴とするクレジットデリバティブ情報追跡方法。
【請求項１７】
請求項１５に記載のクレジットデリバティブ情報追跡方法において、さらに、
一つの参照組織に関するクレジットデリバティブを含む、少なくとも一つのビッド、オファー、またはトレードに関する時系列情報の要求を含むサーチクライテリアを受信し、
要求された時系列情報を取り出し、
要求された時系列情報を表示する
ことを特徴とするクレジットデリバティブ情報追跡方法。
【請求項１８】
請求項１７に記載のクレジットデリバティブ情報追跡方法において、
要求された時系列情報は、その時系列情報が要求される日付の特定を含む
ことを特徴とするクレジットデリバティブ情報追跡方法。
【請求項１９】
請求項１５に記載のクレジットデリバティブ情報追跡方法において、さらに、
ある参照組織に関するクレジットデリバティブについての、１日のうちの価格動向情報の要求を含むサーチクライテリアを受信し、
要求された１日のうちの価格動向情報を取り出し、
要求された１日のうちの価格動向情報を表示する
ことを特徴とするクレジットデリバティブ情報追跡方法。
【請求項２０】
請求項１５に記載のクレジットデリバティブ情報追跡方法において、さらに、
ある参照組織に関するクレジットデリバティブについての、価格履歴情報の要求を含むサーチクライテリアを受信し、
要求された価格履歴情報を取り出し、
要求された価格履歴情報を表示する
ことを特徴とするクレジットデリバティブ情報追跡方法。
【請求項２１】
請求項２０に記載のクレジットデリバティブ情報追跡方法において、さらに、
その価格履歴情報のグラフィック形式での表示要求を含むサーチクライテリアを受信し、
要求された価格情報をグラフィック形式で表示する
ことを特徴とするクレジットデリバティブ情報追跡方法。
【請求項２２】
請求項２０に記載のクレジットデリバティブ情報追跡方法において、さらに、
同じクレジット格付けまたは同じ産業の複数の参照組織に関するクレジットデリバティブについての価格履歴情報の要求を含むサーチクライテリアを受信する
ことを特徴とするクレジットデリバティブ情報追跡方法。
【請求項２３】
請求項１５に記載のクレジットデリバティブ情報追跡方法において、さらに、
データベースからのクレジットデリバティブ情報の取り出しを、少なくとも一つの公示日、取引情報、債務レベル、ビッドまたはオファーに基づくものに限定する要求を含むサーチクライテリアを受信する
ことを特徴とするクレジットデリバティブ情報追跡方法。
【請求項２３】
請求項１５に記載のクレジットデリバティブ情報追跡方法において、さらに、
価格履歴情報が要求される参照組織の選択を受信し、
その参照組織の選択は、少なくとも一つの領域、クレジット格付け、または産業に基づいている
ことを特徴とするクレジットデリバティブ情報追跡方法。
【請求項２４】
請求項１５に記載のクレジットデリバティブ情報追跡方法において、さらに、
ある産業内の参照組織、クレジット格付けに基づくある参照組織、地理上の領域に基づくある参照組織といった、複数の参照組織に関するクレジットデリバティブについての価格履歴情報を経時的にグラフ化し、比較する要求を含むサーチクライテリアを受信する
ことを特徴とするクレジットデリバティブ情報追跡方法。
【請求項２５】
請求項１５に記載のクレジットデリバティブ情報追跡方法において、さらに、
データベース中に価格情報が蓄積された全ての参照組織に関するクレジットデリバティブについての価格情報の要求を含むサーチクライテリアを受信する
ことを特徴とするクレジットデリバティブ情報追跡方法。
【請求項２６】
請求項２５に記載のクレジットデリバティブ情報追跡方法において、さらに、
価格情報の要求を、地理上の領域、産業またはクレジットレーティングに基づくものに限定する要求を含むサーチクライテリアを受信する
ことを特徴とするクレジットデリバティブ情報追跡方法。
【請求項２７】
請求項１５に記載のクレジットデリバティブ情報追跡方法において、さらに、
特定の期間と、関係するクレジットデリバティブの価格がその特定の期間中に上昇するか下降する参照組織についてのクレジットデリバティブ情報の要求を含むサーチクライテリアを受信する
ことを特徴とするクレジットデリバティブ情報追跡方法。
【請求項２８】
任意のクレジットデリバティブ情報のビューを最適化する方法であって、
トレーダークライアントからポートフォリオクライテリアを受信し、
その受信されたクライテリアに基づいて任意の参照組織を選択し、
選択された参照組織を含む参照組織のポートフォリオを生成し、
生成されたポートフォリオについて、クレジットデリバティブ情報をトレーダークライアントに対して表示する
ことを特徴とするビュー最適化方法。
【請求項２９】
請求項２８に記載のビュー最適化方法において、
表示される情報は、そのポートフォリオ内の各参照組織に関するクレジットデリバティブについての平均格付けまたは価格情報を含む
ことを特徴とするビュー最適化方法。
【請求項３０】
請求項２９に記載のビュー最適化方法において、
表示される情報は、そのポートフォリオ内の各参照組織についての産業、地理上の領域、またはクレジット格付けによる、クレジットデリバティブの分類を含む
ことを特徴とするビュー最適化方法。
【請求項３１】
請求項２８に記載のビュー最適化方法において、さらに、
そのポートフォリオ内に含まれる少なくとも一つの新たな参照組織の選択を受信し、
そのポートフォリオ内の情報をアップデートして、新たに選択された参照組織についてのクレジットデリバティブ情報を含むようにさせる
ことを特徴とするビュー最適化方法。
【請求項３２】
請求項２８に記載のビュー最適化方法において、さらに、
そのポートフォリオから取り除かれるべきそのポートフォリオに含まれる参照組織の選択を受信し、
選択された参照組織をそのポートフォリオから取り除く
ことを特徴とするビュー最適化方法。
【請求項３３】
請求項２８に記載のビュー最適化方法において、さらに、
リポートの要求を受信し、
要求されたリポートに基づいて、データベースから任意の参照組織についてのクレジットデリバティブ情報を取得し、
要求されたリポートに基づく形式でそのクレジットデリバティブ情報をトレーダークライアントに対して表示する
ことを特徴とするビュー最適化方法。
【請求項３４】
クレジットデリバティブ局であって、
複数の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに、トレーダークライアントからポートフォリオクライテリアを受信させ、受信されたクライテリアに基づいて任意の参照組織を選択させ、選択された参照組織を含む参照組織のポートフォリオを生成させ、生成されたポートフォリオについて、クレジットデリバティブ情報をトレーダークライアントに対して表示させる
ことを特徴とするクレジットデリバティブ局。
【請求項３５】
請求項３４に記載のクレジットデリバティブ局において、
その指示は、さらに、プロセッサに、そのポートフォリオ内の各参照組織に関するクレジットデリバティブについての平均格付けまたは価格情報を含むクレジットデリバティブ情報を表示させるように構成される
ことを特徴とするクレジットデリバティブ局。
【請求項３６】
請求項３５に記載のクレジットデリバティブ局において、
その指示は、さらに、プロセッサに、そのポートフォリオ内の各参照組織についての産業、地理上の領域、またはクレジット格付けによる、クレジットデリバティブの分類を含むクレジットデリバティブ情報を表示させる
ことを特徴とするクレジットデリバティブ局。
【請求項３７】
請求項３４に記載のクレジットデリバティブ局において、
その指示は、さらに、プロセッサに、そのポートフォリオ内に含まれる少なくとも一つの新たな参照組織の選択を受信させ、そのポートフォリオ内の情報をアップデートさせて、新たに選択された参照組織についてのクレジットデリバティブ情報を含むようにさせる
ことを特徴とするクレジットデリバティブ局。
【請求項３８】
請求項３４に記載のクレジットデリバティブ局において、
その指示は、さらに、プロセッサに、そのポートフォリオから取り除かれるべきそのポートフォリオに含まれる参照組織の選択を受信させ、選択された参照組織をそのポートフォリオから取り除かせる
ことを特徴とするクレジットデリバティブ局。
【請求項３９】
請求項３４に記載のクレジットデリバティブ局において、
その指示は、さらに、プロセッサに、リポートの要求を受信させ、要求されたリポートに基づいてデータベースから任意の参照組織についてのクレジットデリバティブ情報を取得させ、要求されたリポートに基づく形式でトレーダークライアントに対してクレジットデリバティブ情報を表示させる
ことを特徴とするクレジットデリバティブ局。
【請求項４０】
クレジットデリバティブ局であって、
任意の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに、トレーダークライアントからポジションを受信させ、データベース中に蓄積された情報に基づいてそのポジションがベストポジションかを判断し、受信されたポジションはベストポジションであると判断された場合に、受信されたポジションに基づいて複数の他のトレーダークライアントをアップデートさせる
ことを特徴とするクレジットデリバティブ局。
【請求項４１】
請求項４０に記載のクレジットデリバティブ局において、
その指示は、さらに、プロセッサに、複数の他のトレーダークライアントをアップデートさせる
ことを特徴とするクレジットデリバティブ局。
【請求項４２】
請求項４０に記載のクレジットデリバティブ局において、
その指示は、さらに、プロセッサに、受信されたポジションに基づいて、データベース中に蓄積された情報をアップデートさせる
ことを特徴とするクレジットデリバティブ局。
【請求項４３】
請求項４０に記載のクレジットデリバティブ局において、
その指示は、さらに、プロセッサに、受信されたポジションがベストポジションかを判断する前に、受信されたポジションを検証させる
ことを特徴とするクレジットデリバティブ局。
【請求項４４】
請求項４３に記載のクレジットデリバティブ局において、
その指示は、さらに、プロセッサに、受信されたポジションの検証が失敗した場合に、エラーメッセージをトレーダークライアントに対して表示させる
ことを特徴とするクレジットデリバティブ局。
【請求項４５】
請求項４０に記載のクレジットデリバティブ局において、
その指示は、さらに、プロセッサに、複数の他のトレーダークライアントの一つからレスポンシブポジションを受信させる
ことを特徴とするクレジットデリバティブ局。
【請求項４６】
請求項４５に記載のクレジットデリバティブ局において、
その指示は、さらに、プロセッサに、レスポンシブポジションに基づいて、データベース中に蓄積された情報をアップデートさせる
ことを特徴とするクレジットデリバティブ局。
【請求項４７】
請求項４０に記載のクレジットデリバティブ局において、
その指示は、さらに、プロセッサに、複数の他のトレーダークライアントの一つからのポジションの受け入れを受信させる
ことを特徴とするクレジットデリバティブ局。
【請求項４８】
請求項４７に記載のクレジットデリバティブ局において、
その指示は、さらに、一旦そのポジションが受け入れられた場合に、プロセッサに、トレーダークライアントがそのポジションを受け入れた他のトレーダークライアントまたはブローカーと直接インタラクトできるようにさせる
ことを特徴とするクレジットデリバティブ局。
【請求項４９】
請求項４８に記載のクレジットデリバティブ局において、
その指示は、さらに、プロセッサに、受信された受け入れと、トレーダークライアントと他のトレーダークライアントまたはブローカーとの間のインタラクションに基づいて、データベース中に蓄積された情報をアップデートさせる
ことを特徴とするクレジットデリバティブ局。
【請求項５０】
請求項４０に記載のクレジットデリバティブ局において、
その指示は、さらに、プロセッサに、トレーダークライアントと複数の他のトレーダークライアントの少なくとも一つとの間の通信を実行させる
ことを特徴とするクレジットデリバティブ局。
【請求項５１】
請求項４０に記載のクレジットデリバティブ局において、
その指示は、さらに、プロセッサに、トレーダークライアントから指定されたポジションを受信させる
ことを特徴とするクレジットデリバティブ局。
【請求項５２】
請求項５１に記載のクレジットデリバティブ局において、
その指示は、さらに、プロセッサに、指定されたポジションを不活性化するための要求を受信させ、受信された不活性化要求に応答して、そのポジションを不活性化させる
ことを特徴とするクレジットデリバティブ局。
【請求項５３】
請求項５２に記載のクレジットデリバティブ局において、
その指示は、さらに、プロセッサに、不活性のポジションを再活性化させるための要求を受信させ、受信された再活性化要求に応答して、そのポジションを再活性化させる
ことを特徴とするクレジットデリバティブ局。
【請求項５４】
請求項４０に記載のクレジットデリバティブ局において、
その指示は、さらに、プロセッサに、トレーダークライアントによって行われたトレード履歴の要求をトレーダークライアントから受信させ、受信された要求に応答してそのトレード履歴を提供させる
ことを特徴とするクレジットデリバティブ局。
【請求項５５】
請求項４０に記載のクレジットデリバティブ局において、
その指示は、さらに、プロセッサに、任意のクレジットデリバティブについてのスプレッドの履歴の要求を受信させ、受信された要求に応答してそのスプレッド履歴を提供させる
ことを特徴とするクレジットデリバティブ局。
【請求項５６】
クレジットデリバティブのオンライントレーディング方法であって、
トレーダークライアントからポジションを受信し、
そのポジションがベストポジションかを判断し、受信されたポジションはベストポジションであると判断された場合に、受信されたポジションに基づいて、複数の他のトレーダークライアントをアップデートする
ことを特徴とするオンライントレーディング方法。
【請求項５７】
請求項５６に記載のオンライントレーディング方法において、さらに、
複数の他のトレーダークライアントをリアルタイムにアップデートする
ことを特徴とするオンライントレーディング方法。
【請求項５８】
請求項５６に記載のオンライントレーディング方法において、さらに、
受信されたポジションに基づいて、データベース中に蓄積された情報をアップデートする
ことを特徴とするオンライントレーディング方法。
【請求項５９】
請求項５６に記載のオンライントレーディング方法において、さらに、
受信されたポジションがベストポジションかを判断する前に、受信されたポジションを検証する
ことを特徴とするオンライントレーディング方法。
【請求項６０】
請求項５９に記載のオンライントレーディング方法において、さらに、
受信されたポジションの検証が失敗した場合に、エラーメッセージをトレーダークライアントに対して表示する
ことを特徴とするオンライントレーディング方法。
【請求項６１】
請求項５６に記載のオンライントレーディング方法において、さらに、
レスポンシブポジションを受信する
ことを特徴とするオンライントレーディング方法。
【請求項６２】
請求項６１に記載のオンライントレーディング方法において、さらに、
レスポンシブポジションに基づいて、データベース中に蓄積された情報をアップデートする
ことを特徴とするオンライントレーディング方法。
【請求項６３】
請求項５６に記載のオンライントレーディング方法において、さらに、
複数の他のトレーダークライアントの一つからのポジションの受け入れを受信する
ことを特徴とするオンライントレーディング方法。
【請求項６４】
請求項６３に記載のオンライントレーディング方法において、さらに、
一旦そのポジションが受け入れられた場合に、トレーダークライアントがそのポジションを受け入れた他のトレーダークライアントまたはブローカーと直接インタラクトできるようにさせる
ことを特徴とするオンライントレーディング方法。
【請求項６５】
請求項６４に記載のオンライントレーディング方法において、さらに、
受信された受け入れと、トレーダークライアントと他のトレーダークライアントまたはブローカーとの間のインタラクションに基づいて、データベース中に蓄積された情報をアップデートする
ことを特徴とするオンライントレーディング方法。
【請求項６６】
クレジットデリバティブトレーディングシステムであって、
クレジットデリバティブ局と、
複数のトレーダークライアントがクレジットデリバティブ局と接続し得るように構成された複数の端末と、
各複数のトレーダークライアントが、クレジットデリバティブ局と接続し、複数のクレジットデリバティブについての情報を見るようにし得る標準化されたインタフェースとを備え、
その標準化されたインタフェースは、各複数のクレジットデリバティブについての情報をコンパクトで一様な形式で表示するように構成される
ことを特徴とするクレジットデリバティブトレーディングシステム。
【請求項６７】
請求項６６に記載のクレジットデリバティブトレーディングシステムにおいて、
標準化されたインタフェースは、さらに、各複数のトレーダークライアントが、複数のクレジットデリバティブについて表示された情報のトレーダークライアントのビューをカスタマイズできるように構成される
ことを特徴とするクレジットデリバティブトレーディングシステム。
【請求項６８】
請求項６７に記載のクレジットデリバティブトレーディングシステムにおいて、
カスタマイズされたインタフェースは、さらに、各複数のトレーダークライアントが、領域に基づいてトレーダークライアントのビューをカスタマイズできるようにする
ことを特徴とするクレジットデリバティブトレーディングシステム。
【請求項６９】
請求項６７に記載のクレジットデリバティブトレーディングシステムにおいて、
カスタマイズされたインタフェースは、さらに、各複数のトレーダークライアントが、産業に基づいてトレーダークライアントのビューをカスタマイズできるようにする
ことを特徴とするクレジットデリバティブトレーディングシステム。
【請求項７０】
請求項６７に記載のクレジットデリバティブトレーディングシステムにおいて、
カスタマイズされたインタフェースは、さらに、各複数のトレーダークライアントが、少なくとも一つの参照組織名、クレジット期間、債務レベル、スプレッド、リストラクチャリングレベル、売り値、そしてクレジット格付けに基づいてトレーダークライアントのビューをカスタマイズできるようにする
ことを特徴とするクレジットデリバティブトレーディングシステム。
【請求項７１】
請求項６６に記載のクレジットデリバティブトレーディングシステムにおいて、
カスタマイズされたインタフェースは、さらに、各複数のトレーダークライアントが、クレジットデリバティブポジションをオンラインで指定できるようにする
ことを特徴とするクレジットデリバティブトレーディングシステム。
【請求項７２】
請求項７１に記載のクレジットデリバティブトレーディングシステムにおいて、
カスタマイズされたインタフェースは、さらに、各複数のトレーダークライアントが、いつでも１回のクリックで指定されたポジションをアップデートできるようにする
ことを特徴とするクレジットデリバティブトレーディングシステム。
【請求項７３】
請求項７１に記載のクレジットデリバティブトレーディングシステムにおいて、
カスタマイズされたインタフェースは、さらに、各複数のトレーダークライアントが、いつでも１回のクリックでトレーダークライアントの指定されたポジションの全てまたはいくつかを不活性化できるようにする
ことを特徴とするクレジットデリバティブトレーディングシステム。
【請求項７４】
請求項７３に記載のクレジットデリバティブトレーディングシステムにおいて、
カスタマイズされたインタフェースは、さらに、各複数のトレーダークライアントが、１回のクリックで彼らの不活性化されたポジションのいくつかまたは全てを再活性化できるようにする
ことを特徴とするクレジットデリバティブトレーディングシステム。
【請求項７５】
請求項６６に記載のクレジットデリバティブトレーディングシステムにおいて、
カスタマイズされたインタフェースは、さらに、各複数のトレーダークライアントが、ポジションを選択し、取引希望を示すことによって他のポジションで取引できるようにする
ことを特徴とするクレジットデリバティブトレーディングシステム。
【請求項７６】
請求項６６に記載のクレジットデリバティブトレーディングシステムにおいて、
カスタマイズされたインタフェースは、さらに、各複数のトレーダークライアントが、クレジットデリバティブについてのスプレッド履歴を見ることができるようにする
ことを特徴とするクレジットデリバティブトレーディングシステム。
【請求項７７】
請求項６６に記載のクレジットデリバティブトレーディングシステムにおいて、
カスタマイズされたインタフェースは、さらに、各複数のトレーダークライアントが、電子的メッセージを介して他のトレーダークライアントまたはブローカーとインタラクトできるようにする
ことを特徴とするクレジットデリバティブトレーディングシステム。
【請求項７８】
請求項６６に記載のクレジットデリバティブトレーディングシステムにおいて、
カスタマイズされたインタフェースは、さらに、各複数のトレーダークライアントが、トレーダークライアントが過去に行ったクレジットデリバティブトレードの履歴を見ることができるようにする
ことを特徴とするクレジットデリバティブトレーディングシステム。
【請求項７９】
請求項６６に記載のクレジットデリバティブトレーディングシステムにおいて、
カスタマイズされたインタフェースは、さらに、各複数のトレーダークライアントが、各複数のクレジットデリバティブについて表示された情報をアップデートできるようにする
ことを特徴とするクレジットデリバティブトレーディングシステム。
【請求項８０】
請求項６６に記載のクレジットデリバティブトレーディングシステムにおいて、
コンパクトで一様な形式は、各複数のクレジットデリバティブについての参照組織名を含む
ことを特徴とするクレジットデリバティブトレーディングシステム。
【請求項８１】
請求項６６に記載のクレジットデリバティブトレーディングシステムにおいて、
コンパクトで一様な形式は、各複数のクレジットデリバティブについての予定終了期間を含む
ことを特徴とするクレジットデリバティブトレーディングシステム。
【請求項８２】
請求項６６に記載のクレジットデリバティブトレーディングシステムにおいて、
コンパクトで一様な形式は、各複数のクレジットデリバティブについてのビッドそして／または売り値を含む
ことを特徴とするクレジットデリバティブトレーディングシステム。
【請求項８３】
請求項６６に記載のクレジットデリバティブトレーディングシステムにおいて、
コンパクトで一様な形式は、各複数のクレジットデリバティブについての債務レベルを含む
ことを特徴とするクレジットデリバティブトレーディングシステム。
【請求項８４】
請求項６６に記載のクレジットデリバティブトレーディングシステムにおいて、
コンパクトで一様な形式は、各複数のクレジットデリバティブについてのリストラクチャリングレベルを含む
ことを特徴とするクレジットデリバティブトレーディングシステム。
【請求項８５】
クレジットデリバティブ局であって、
任意の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに、ポジションに基づくトレーダークライアントからの取引希望の表示を受信させ、トレーダークライアントがそのポジションで取引できるかを判断させ、そのトレーダークライアントがそのポジションで取引できると判断された場合に、決定された取引を処理させる
ことを特徴とするクレジットデリバティブ局。
【請求項８６】
請求項８５に記載のクレジットデリバティブ局において、
その指示は、さらに、プロセッサに、その取引に応じて、複数の他のトレーダークライアントに提供される、そのポジションに関するクレジットデリバティブについての情報をアップデートさせる
ことを特徴とするクレジットデリバティブ局。
【請求項８７】
請求項８５に記載のクレジットデリバティブ局において、
その指示は、さらに、プロセッサに、その取引に応じて、データベース中に蓄積された情報をアップデートさせる
ことを特徴とするクレジットデリバティブ局。
【請求項８８】
請求項８５に記載のクレジットデリバティブ局において、
その指示は、さらに、プロセッサに、各複数のトレーダークライアントから、各複数のトレーダークライアントがどのトレーダークライアントと取引したいかを示す情報を受信させ、その指示は、さらに、プロセッサに、その受信された情報に基づいて、トレーダークライアントがそのポジションで取引し得るかを判断させる
ことを特徴とするクレジットデリバティブ局。
【請求項８９】
請求項８５に記載のクレジットデリバティブ局であって、
その指示は、さらに、プロセッサに、各複数のトレーダークライアントから受信された指示情報をデータベース中に蓄積させる
ことを特徴とするクレジットデリバティブ局。
【請求項９０】
クレジットデリバティブのオンライントレーディング方法において、
ポジションに基づくトレーダークライアントから取引希望の表明を受信し、
そのトレーダークライアントがそのポジションで取引し得るかを判断し、
そのトレーダークライアントがそのポジションで取引し得ると判断された場合に、決定された取引を処理する
ことを特徴とするオンライントレーディング方法。
【請求項９１】
請求項９０に記載のオンライントレーディング方法において、さらに、
取引に応じて、他の複数のトレーダークライアントに対して提供される、そのポジションに関するクレジットデリバティブについての情報をアップデートする
ことを特徴とするオンライントレーディング方法。
【請求項９２】
請求項９０に記載のオンライントレーディング方法において、さらに、
取引に応じて、データベース中に蓄積された情報をアップデートする
ことを特徴とするオンライントレーディング方法。
【請求項９３】
請求項９０に記載のオンライントレーディング方法において、さらに、
各複数のトレーダークライアントから、各複数のトレーダークライアントがどのトレーダークライアントと取引したいかを示す情報を受信し、その受信された情報に基づいて、トレーダークライアントがそのポジションで取引し得るかを判断する
ことを特徴とするオンライントレーディング方法。
【請求項９４】
請求項９０に記載のオンライントレーディング方法において、さらに、
各複数のトレーダークライアントから受信された指示情報をデータベース中に蓄積する
ことを特徴とするオンライントレーディング方法。
【発明の詳細な説明】
【技術分野】
【０００１】
本発明の分野は、一般に、クレジットデリバティブに関し、特に、オンライン環境のクレジットデリバティブの取引に関する。
【背景技術】
【０００２】
近年、伝統的なクレジットデリバティブマーケットは、ユーザベースの大きな団体から構成されるようになってきた。これらの大きな団体は、クレジットデリバティブマーケットを様々な理由で用いる。例えば、国内外双方の商業銀行は、クレジットデリバティブマーケットにおいてクレジットリスクを売ることを通じて、大きな経済的、業務上、そして資本的な安心を得る。商業銀行は、また、レンディングマーケット（ｌｅｎｄｉｎｇ  ｍａｒｋｅｔ）に代わるものとして、彼らのポートフォリオに対してクレジットリスクを加えるためにクレジットデリバティブマーケットを用いることができる。特に優れたクレジット評価スキルを持っている保険会社は、主に保険料についてのクレジットリスクを引き受けるためにクレジットデリバティブマーケットを用いる。投資管理会社とヘッジファンド、そして、他の投資家は、リスクの引き受け、取り外し双方のために、クレジットデリバティブマーケットを用いる。
【０００３】
ディーラーコミュニティは、世界で最も大きな金融仲介者のいくつかを表している。ディーラー達は、クレジットデリバティブにおいてマーケットを形成する、巨大な多国籍機関となる。各ディーラーのクレジットデリバティブビジネスの大きさと範囲は、多岐にわたり、広範囲のクレジットデリバティブオペレーションを持っているディーラーもいれば、一時的なマーケット参加者である場合もある。従って、従来のデリバティブマーケットにおいては、情報の流れは、少数のディーラーに集中している。一般に、上述したようなエンドユーザは、そのディーラー達を通じて取引し、直接お互いに取引することはない。情報は、マーケットに参加しているバイヤーとディーラーに関係しているので、特定のデリバティブに関する価格とリスクに関する情報と同様に乏しく、不完全であることが多い。
【０００４】
ディーラーは、ブローカーマーケットを通じて他のディーラーと取引を行う。ブローカーは、ディーラー達の間のビジネスを扱う仲介者である。ブローカーは、リスクの主体とならない。一般に、ブローカーから伝わる情報は、極めて不十分である。さらに、ブローカービジネスは、ブローカーとエンドユーザとの間には大きな接触がないため、そのディーラー達に対するものに限られている。
【０００５】
従来のクレジットデリバティブマーケットには他の欠点がある。そのような欠点の一つは、従来のクレジットデリバティブマーケットは、例えば、大陸域そして／または時間域によって配置された個々のマーケットに分けられていることである。例えば、ヨーロッパクレジットデリバティブマーケットは、通常ヨーロッパクレジットリスクの中で取引し、アメリカ合衆国のクレジットデリバティブマーケットは、厳密にアメリカ合衆国のクレジットリスクの中で取引する。従来のクレジットデリバティブマーケットは、マニュアル的で労働集約的な性質を持っているため、ディーラーが従来のクレジットデリバティブマーケットの、局地的な性質を打ち破ることは極めて困難である。
【０００６】
別の欠点は、従来のクレジットデリバティブマーケットにおける取引は、コストが高いことである。従来のクレジットデリバティブマーケットにおける各ディーラーは、取引を進めるために大きな仲介インフラを用いる。そのインフラのサイズは、大きな取引コストをもたらし、その大きな取引コストは、従来のクレジットデリバティブマーケットが、地域に分けられ、極めて少数のディーラーによってコントロールされたままである限り続く。さらに、情報が少数の大きな参加者に集中しているため、従来のクレジットデリバティブマーケットは、非効率で融通がきかない。最も大きな参加者の多くにとって、その唯一の取引販路はディーラーを通じてであるため、その非融通性は継続する。従来の別の欠点は、標準化されたドキュメンテーション不足が原因となるオペレーションの非効率性である。そのオペレーションの非効率性は、ドキュメンテーションプロセスが、標準化不足のためマニュアルのプロセスとなりがちであることから、悪化する。
【０００７】
ここで述べる一つの最後の欠点は、従来のクレジットデリバティブマーケットの非効率で分断化され、そして、分離された配信メカニズムである。マーケットの参加者が取引を希望する場合に、少数のディーラーの一人に電話して価格を尋ねる。ディーラーは、通常、この地点におけるブローカーにつなぐ。そうでなければ、ディーラーは、限られた数の別の参加者達に電話して、彼らが取引を望むかを判断する。ディーラーが、許容されるスプレッドにおいて取引を希望する参加者が見つかると判断した場合は、そのディーラーは、例えばブローカーを用いて、その取引を行おうとする。しかし、しばしば、多数のディラーは、取引の希望を判断しようとして、同一の潜在的な参加者に電話する。その結果、参加者達が持つ販路は少ないので、潜在的な取引はそのマーケットから選択される場合が多く、ディーラーは、その取引を行うためのフィーは極めて低いと感じ、そして／または、そのディーラーは、その取引の別のサイドに取引を希望する参加者を見つけられないことを恐れることから、そのリスクの主体とならない。結局、少数の参加者が従来のクレジットデリバティブマーケットの経済的非効率性から利益を得る一方で、多くの参加者達は、利益を得ない。
【発明の開示】
【０００８】
（発明の要旨）
クレジットデリバティブトレーディングシステムは、特定のクレジットデリバティブについてのマーケットにおいて動きがあったときにいつでも、クレジットデリバティブについての指定されたポジションを受信し、リアルタイムに複数のトレードクライアントをアップデートするように構成されたクレジットデリバティブ局を備える。
【０００９】
発明の別の側面においては、クレジットデリバティブトレーディングシステムは、トレードクライアントがクレジットデリバティブについての情報をコンパクトで一様な形式で見られるようにする標準化されたインタフェースを備える。その標準化されたインタフェースは、また、トレーダークライアントが迅速なそして効率的な方法でクレジットデリバティブ局に通信できるようにする。
【００１０】
これらの、そして別の特徴、側面、そして発明の実施例は、好適な実施例の詳細な説明において、以下に説明される。
【発明を実施するための最良の形態】
【００１１】
図１は、ここで説明されるシステム及び方法の一実施例に従うクレジットデリバティブトレーディングシステム１００の例を示す図である。システム１００は、データベース１０４に接続されたクレジットデリバティブ局（ｃｒｅｄｉｔ  ｄｅｒｉｖａｔｉｃｅ  ａｕｔｈｏｒｉｔｙ）１０２を備える。データベース１０４は、示されるように、実際にその実施例に基づく複数のデータベースを備える。クレジットデリバティブ局１０２は、ネットワーク１０６を通じて、端末１０８経由で複数のトレーダークライアントと接続される。
【００１２】
一例においては、ネットワーク１０６はインターネットであるが、ネットワーク１０６は、任意のタイプの有線または無線の広域エリアネットワーク、有線または無線のローカルエリアネットワーク、または、有線または無線のパーソナルエリアネットワーク、またはそれらの組み合わせであり得る。さらに、あるクレジットデリバティブ局１０２そして／または端末１０８は、有線そして／または無線の通信リンク経由でネットワーク１０６に接続されているが、別の実施例においては、クレジットデリバティブ局１０２そして／または端末１０８は、有線の通信リンク経由でネットワーク１０６と接続されている。
【００１３】
一例においては、端末１０８は、デスクトップまたはラップトップのコンピュータのような、コンピュータ端末である。他の例では、端末１０８は、ハンドヘルドコンピュータやパーソナルデジタルアシスタントのような、ハンドヘルドの装置である。しかし、端末１０８は、ここで説明するシステムと方法に必要な機能を備えるように構成された、任意のタイプの端末とすることができる。
【００１４】
クレジットデリバティブ局１０２を指すために用いられる「局」という語は、端末１０８が、クレジットデリバティブ局１０２に付随するコンピューティングシステム、ハードウェア及びソフトウェアを通じてクレジットデリバティブ局１０２と通信を行うことを示すことを意図している。従って、実施例によれば、局という語は、インターネットまたはウェブサーバ、ファイルサーバ、そして／またはデータベースサーバのような１または複数のサーバや、１または複数のルーター、１または複数のデータベース、１または複数のソフトウェアアプリケーション、１または複数のアプリケーションプログラムインタフェース（ＡＰＩ）またはそれらの組み合わせを意味し得る。さらに、クレジットデリバティブ局１０２に付随するコンピューティングシステムは、１または複数のコンピュータまたはコンピュータ端末を含む。その意味において、クレジットデリバティブ局１０２に付随するコンピュータシステムを構成するいくつかの同一のコンポーネントが、端末１０８を構成し得る。クレジットデリバティブ局１０２を構成するコンピュータシステムの典型的な例が、図７に関連して詳細に説明される。
【００１５】
システム１００は、トレーダークライアントが、領域や産業などにかかわらず、任意の複数のクレジットデリバティブについてのポジションをクレジットデリバティブ局１０２に指示することができるようにし得る、標準化されたインタフェースを備える。クレジットデリバティブ局１０２は、そのポジションをデータベース１０４中に蓄積する。その標準化されたインタフェースを用いて、クレジットデリバティブ局１０２は、データベース１０４中に蓄積されたポジションに関する情報を、端末１０８経由でトレーダークライアントに対して表示する。そして、トレーダークライアントは、レスポンシブポジションを指定して、取引希望を示し、そして／またはその標準化されたインタフェースを用いて取引を行う。従って、クレジットデリバティブ局１０２は、従来のクレジットデリバティブマーケットの、ディーラーとブローカーのパラダイムにとって代わり、トレーダークライアントにより多くの販路、より大きな融通性、より多くの効率性を提供し、それらは全て取引コストを減少させる。
【００１６】
標準化されたインタフェースは、端末１０８上でランするように構成されたクライアントソフトウェアコンポーネントと同様に、クレジットデリバティブ局１０２上でランするように構成されたソフトウェアコンポーネントを備える。従って、クレジットデリバティブ局１０２は、迅速で、容易で、そして効率的な取引をもたらすように、一様な方式で情報をフォーマットしてトレーダークライアントに表示し、そして、端末１０８を通じてトレーダークライアントからの入力を受信するための、端末１０８上でランするクライアントソフトウェアと共に動作し得る。標準化されたインタフェースの任意の特徴とアスペクトは、以下により十分に説明される。
【００１７】
図２は、ここで説明されるシステムと方法に従う、システム１００を用いたクレジットデリバティブの取引方法の一例を示すフローチャートである。最初に、ステップ２０２において、クレジットデリバティブ局１０２は、取引可能な参照組織のクレジットリスクに関する情報を受信する。言い換えると、トレーダークライアントが、ある参照組織におけるクレジットリスクを移動させたい場合、トレーダークライアントは、クレジットデリバティブ局１０２にアクセスすることができ、その情報を売り値とともに利用可能とする。
【００１８】
ステップ２０４において、クレジットデリバティブ局は、データベース中にその情報を蓄積し、ステップ２０６において、クレジットデリバティブ局１０２は、その情報を、残りの複数のトレーダークライアントに対して、彼らの端末１０８を介して表示する。トレーダークライアントは世界のどこからでもクレジットデリバティブ局１０２にアクセス可能であるため、クレジットデリバティブ局１０２によって利用可能となったクレジットデリバティブは、領域あるいは産業によって制限されない。従って、予め断片化された性質を持つクレジットデリバティブマーケットがアドレスされ得る。さらに、クレジットデリバティブ局１０２は、好ましくは、その情報が、クレジットデリバティブのタイプにかかわらず全てのトレーダークライアントにコンパクトで一様な方式で表示されるように構成される。さらに、クレジットデリバティブ局は、好ましくは、システム１００において新たなクレジットデリバティブが指定されたときに、リアルタイムにトレーダークライアントをアップデートするように構成される。
【００１９】
コンパクトで一様な情報の表示の例として、クレジットデリバティブ局１０２は、ある実施例において、システム１００において指定される各クレジットデリバティブについて、以下のものを表示するように構成される。すなわち、債務レベル、買い値、売り値、リストラクチャリングレベルを表示する。別の例においては、クレジットデリバティブ局は、システム１００において指示される各ポジションについての関連通貨、債務格付け、そして、債務タイプを表示するよう構成してもよい。クレジットデリバティブ局１０２は、例えば、上述した標準化されたインタフェースを用いてその情報を表示するように構成される。従って、クレジットデリバティブ局１０２は、データベース１０４から対応する情報を取り出して、それを端末１０８上でランするクライアントアプリケーションに対して送信する。そして、クライアントアプリケーションは、ここで説明されたシステムと方法に従って、その情報を表示する。
【００２０】
図５は、端末１０８上にコンパクトで一様なフォーマットで情報を表示する方法の例を示すスクリーンスロットである。従って、ディスプレイスクリーン５００は、複数のコラム５０２から５１８を有する。見てみると、コラム５０２は、クレジットデリバティブがシステム１００において利用可能になる様々な参照組織名から成っている。コラム５０４は、コラム５０２の各委託者についての債務タイプから成る。コラム５０６は、コラム５０２の各参照組織についての債務格付けから成る。上述したように、このコラムは実施例によっては含まれていない。コラム５０８は、コラム５０２の参照組織についてのクレジットデリバティブに関する予定終了期間から成る。コラム５１２は、関連する売り値から成り、コラム５１０はレスポンシブビッドから成る。従って、一旦ビッドが受信されると、その情報はコラム５１０に表示され得る。ある実施例において含められる、コラム５１４とコラム５１６は、その端末１０８にディスプレイ５００が表示されている特定のトレーダークライアントに関する、ビッドと売り値とから成る。最後に、コラム５１８は、関連通貨から成る。
【００２１】
ステップ２０６において、一旦新たなクレジットデリバティブについての情報が表示されると、クレジットデリバティブ局１０２によってビッドの受信が開始される。このプロセスは、図３に関して以下に説明される。しかし、クレジットデリバティブマーケットは相互的なマーケットなので、あるトレーダークライアントは他のトレーダークライアントと全てのあるいはある状況において取引を望まないことがある。従って、ある実施例においては、クレジットデリバティブ局１０２は、新たなポジションを指定したトレーダークライアントが取引を望むトレーダークライアントを特定する情報を受信し得るように構成されている。すなわち、トレーダークライアントは、標準化されたインタフェースを用いて、トレーダークライアントが取引を望む他のトレーダークライアントを特定する情報をクレジットデリバティブ局１０２に対して提供する。その例によると、その情報は、任意のトレーダークライアントの名と、受け入れられるトレーダークライアントの指定された特徴を含む。ステップ２１０において、クレジットデリバティブ局１０２は、その特定情報をデータベース１０４内に蓄積する。そして、その情報は、以下に説明するように、ある実施例において、クレジットデリバティブ局１０２によって用いられ、トレーダークライアント間の取引の実行に役立たせられる。
【００２２】
ある実施例においては、トレーダークライアントは、表示される情報のビューをカスタマイズすることができる。従って、ステップ２１２において、クレジットデリバティブ局１０２は、トレーダークライアントから、トレーダークライアントのカスタマイズされたビュー要求を特定する情報を受信する。すなわち、標準化されたインタフェースを用いて、トレーダークライアントはカスタマイズされたビューを指定する情報を入力する。例えば、一例においては、ステップ２１２において、トレーダークライアントは、ある興味ある領域を特定する。次に、ステップ２１４において、クレジットデリバティブ局１０２は、指示された領域についてのクレジットデリバティブだけをデータベース１０４から取り出す。ステップ２１６において、これらのクレジットデリバティブがトレーダークライアントの端末１０８上に表示される。さもなければ、トレーダークライアントは、ステップ２１２において、トレーダークライアントが興味を持っている任意の産業、任意の参照組織名、任意のクレジット期間、任意の債務格付け、任意のスプレッド、すなわち、買い値と売り値との差、任意のリストラクチャリングレベルなどを特定することによって、トレーダークライアントのビューをカスタマイズできる。ステップ２１４において、クレジットデリバティブ局１０２は、トレーダークライアントによって入力されたクライテリアに合致するクレジットデリバティブの情報を取り出す。
【００２３】
ビューのカスタマイズ化と類似するプロセスにおいて、トレーダークライアントは、また、彼らが興味を持っている別ビューを指示する。例えば、一例においては、興味のあるクレジットデリバティブを指定するファクターを指示する代わりに、ステップ２１２において、トレーダークライアントは、興味のある履歴情報を指示する。ステップ２１２において指示される履歴情報の例は、あるクレジットデリバティブについてのスプレッド履歴情報、トレーダークライアントについてのトレード履歴、そして、あるクレジットデリバティブについての取引履歴を含む。ある例においては、ステップ２１２において、対応する興味のあるタイムピリオドも指示される。ステップ２１４において、入力クライテリアに従う履歴情報が取り出され、ステップ２１６において表示される。
【００２４】
例えば、図６は、あるクレジットデリバティブについての取引履歴のディスプレイ６００を示すスクリーンショットである。見るとわかるように、ディスプレイ６００はコラム６０２から６１４を有している。コラム６０２は、関連取引の日付からなり、コラム６０４は含まれる参照組織名からなり、コラム６０６は、債務タイプからなり、コラム６０８は、クレジットデリバティブの予定終了期間からなり、コラム６１０は買い手のアイデンティティからなり、コラム６１２は価格からなり、コラム６１４は売り手名からなり、コラム６１６は概略の取引量からなり、コラム６１８は関連通貨からなり、コラム６２０は参照債務からなり、コラム６２２は取引状態からなる。もちろん、実施例によっては、図６中に示されるコラムのいくつかはディスプレイ６００中に含まれていない。
【００２５】
図３は、システム１００によってリアルタイムにレスポンシブポジションが受信され処理されるプロセス例を示すフローチャートである。図３のプロセス例は、指定されたオリジナルポジションが売りで、従って、レスポンシブポジションがビッドであることを想定している。しかし、そのプロセスは、その逆の状態についても同様である。
【００２６】
ステップ３０２において、トレーダークライアントが、例えば、標準化されたインタフェースを通じて、直近の売りに対してビッド（ｂｉｄ）を入力した時にプロセスが開始される。ステップ３０４において、クレジットデリバティブ局１０２は、そのビッドを検証する。例えば、そのビッドは有効なクレジットデリバティブを特定していることをチェックして保証する。そのビッドが有効でない場合は、クレジットデリバティブ局１０２は、エラーメッセージをトレーダークライアントの端末１０８上に表示し、そのトレーダークライアントが別のビッドを入力できるようにする（ステップ３０２）。そのビッドが有効なら、ステップ３０８において、クレジットデリバティブ局１０２は、そのビッド情報を蓄積する。
【００２７】
一例においては、クレジットデリバティブ局１０２は、そのビッドをデータベース１０４中に蓄積されている情報に照らしてチェックし、そのビッドがベストビッドかを判断する。言い換えると、クレジットデリバティブ局１０２は、データベース１０４中に蓄積されているビッド情報をチェックして、そのビッドが、関連するクレジットデリバティブについて最も高いビッドかを判断する。そのビッドがベストビッドである場合は、ステップ３１２において、クレジットデリバティブ局１０２は、新たなビッド情報で全てのトレーダークライアントをアップデートする。ステップ３１２におけるアップデートは、実質的にリアルタイムに行われる。従って、トレーダークライアントは、クレジットデリバティブマーケットに動きがあるごとにアップデートされた情報を受信している。一方、ステップ３０２において指定されたポジションが売りである場合、ステップ３１０において、クレジットデリバティブ局１０２は、その売りは前の売りより低いかを判断し、ステップ３１２において、その売りが最も低い売りであると判断された場合に、そのトレーダークライアントをアップデートする。
【００２８】
図４は、システム１００内における取引を行うプロセスの例を示すフローチャートである。そのプロセスは、ステップ４０２において、トレーダークライアントが、受信したアップデートされたポジションに対応する取引の希望を表明することから開始される（ステップ３１２）。例えば、トレーダークライアントは、標準化されたインタフェースを用いて、取引希望を表明する。一例においては、クレジットデリバティブ局１０２がその表明を受信すると、トレーダークライアントが関連するクレジットデリバティブにおいて取引できるアビリティを判断する。これは、ステップ２０８において提供される情報がプレイできる範囲である。従って、ステップ４０４において、クレジットデリバティブ局１０２は、データベース１０４内に蓄積された情報に基づいて、取引の希望を示しているトレーダークライアントが他のパーティに受け入れられるかを判断する。
【００２９】
一例においては、クレジットデリバティブ局がトレーダークライアントが受け入れられないと判断した場合、ステップ４０６において、クレジットデリバティブ局１０２は、その他のパーティに対して、続行するオプションを提示する。その他のパーティが断ると、その取引は成立しない。一方、他のパーティが続行を望む場合、または、ステップ４０４において、トレーダークライアントが取引可能であると判断される場合には、取引が行なわれる。
【００３０】
ステップ４０２において、トレーダークライアントは、新たなポジションに関するタームを受け入れる意思を表明するか、他のパーティと交渉する意思を表明することによって、取引の意思を示すことができる。ステップ４０２における表明が受け入れられる場合は、ステップ４０８において、別のパーティは、クレジットデリバティブ局１０２によって、その受け入れを通知される。ステップ４０２の表明が交渉の意思の表明である場合には、ステップ４１０において、そのパーティは、お互いに交渉し合う。以下により詳細に説明されるように、そのパーティは、標準化されたインタフェースとクレジットデリバティブ局１０２の支援によって交渉することができる。別の例においては、ステップ４０２において、一旦トレーダークライアントが取引の意思を表明すると、彼らは電話し、またはクレジットデリバティブ局１０２に付随するブローカーによって通信されて、交渉し、そして取引を決済する。
【００３１】
一旦その取引が決済されると、その取引に関する情報の全てがリアルタイムにクレジットデリバティブ局１０２によってデータベース１０４内に蓄積される。すなわち、その情報は、パーティ間またはパーティとクレジットデリバティブ局１０２との間を行き来する際に蓄積される。次に、ステップ４１４において、クレジットデリバティブ局１０２は、トレーダークライアントに対して表示される情報を、その取引情報に基づいて、リアルタイムにアップデートする。
【００３２】
上述したように、システム１００はシステム１００における取引を迅速にそして効率的にするために構成された標準化されたインタフェースを備える。従って、その標準化されたインターフェースによれば、各トレーダークライアントはクレジットデリバティブ局１０２に接続し、そして、コンパクトで一様なフォーマットで表示された、複数のクレジットデリバティブに関する情報を見ることができる。フォーマットの例は、例えば図５に関連して上述した。また、既述したように、標準化されたインタフェースは、各トレーダークライアントが、複数のクレジットデリバティブについて表示される情報のクライアントのビューをカスタマイズできるようにする。これは、例えば図６に関して説明した。従って、情報の表示は、以下の、任意の領域、企業、参照組織名、クレジット期間、債務レベル、スプレッド、リストラクチャリングレベル、売り値、そしてクレジットレーティングに基づいて、その標準化されたインタフェースを用いてカスタマイズされ得る。
【００３３】
その標準化されたインタフェースは、さらに、各トレーダークライアントがオンラインでクレジットデリバティブポジションを指定し、そしてそれらを迅速かつ効率的にアップデートし得るように構成される。例えば、一例においては、トレーダークライアントは、単にクレジットデリバティブと、例えば買い値と売り値というポジションの指定情報を入力し、１回の「クリック」でクレジットデリバティブ局１０２に対してポジションをアップデートする。「クリック」という語は、ユーザは、単にマウスのような入力装置を使用して、テキスト、ボタンまたはアイコンを選択するだけで足りることを意味する。さらに、そのトレーダーは、この単純なプロセスを用いて、いつでもポジションをアップデートでき、他の全てのトレーダークライアントはリアルタイムに自動的にアップデートされ得る。
【００３４】
ある実施例において、標準化されたインタフェースは、トレーダークライアントが、いつでも、１回のクリックで、全てのまたはいくつかのトレーダークライアントが指定したポジションを不活性にすることを可能とする。トレーダークライアントは、また、彼らの何人かまたは全員の不活性化されたポジションを、そうすることを決定した時にはいつでも、１回のクリックで再活性化させることができる。そして、その他のトレーダークライアントは、リアルタイムに、ポジションの不活性化または再活性化に従って自動的にアップデートされる。
【００３５】
ある実施例においては、クレジットデリバティブ局１０２は、トレーダークライアントとの通信を彼らの端末１０８を介して行うように構成されている。この通信は、トレーダークライアント間すなわち端末１０８間、そして／または、トレーダークライアントとクレジットデリバティブ局１０２との間すなわち端末１０８とクレジットデリバティブ局１０２との間で行われ得る。従って、標準化されたインタフェースは、ｅメールまたはインスタントメッセージのような電子的メッセージツールを備える。トレーダークライアントは、その電子的メッセージツールを用いて、メッセージを入力し、送信する。そのメッセージはクレジットデリバティブ局１０２によって受信され、要求された時に正しい端末１０８に向けられる。そのメッセージング機能は、例えば、トレーダークライアント間の交渉そして／または取引の決済を行うために用いられる。従って、いくつかの例においては、そのメッセージは、端末１０８間のものであり、交渉情報を含んでいる。別の例においては、そのメッセージは、クレジットデリバティブ局１０２と端末１０８との間のものであり、取引の決済情報を含んでいる。
【００３６】
図７は、例えば、クレジットデリバティブ局１０２を備えるコンピュータシステム内に含まれる、コンピュータシステム７００の一例を示す論理ブロック図である。いくつかのタイプのプロセシングシステムは、そのプロセシングシステムが１または数個の装置に含まれる１または数個のプロセッサを備えるかにかかわらず、任意のコンピュータシステムの心臓部に位置することが理解されている。従って、図７のコンピュータシステム７００は、プロセシングシステムの一つの例として示される。図７の例においては、コンピュータシステム７００は、コンピュータシステム７００の動作をコントロールするよう構成されたプロセッサ７１０、メモリ７０４、ストレージ７０６、ネットワークインタフェース７０８、ディスプレイアウトプット７１２、ユーザインタフェース７１４、そして、コンピュータシステム７００を構成する様々なコンポーネントを接続するよう構成された、バス７０２を備える。
【００３７】
プロセッサ７１０は、一例においては、マスコプロセッサ、ネットワークプロセッサ、デジタル信号プロセッサ、オーディオプロセッサなどといった、複数のプロセシング回路から構成される。これらの様々な回路は、実施例によっては、単一のデバイスまたは多数のデバイスに含まれ得る。プロセッサ７１０は、また、メモリ７０４内に蓄積されている指示が、コンピュータシステム７００の動作をコントロールするためにプロセッサ７１０によってロードされ実行される実行領域を備える。従って、例えば、メモリ７０４内の指示を実行することによって、プロセッサ７１０は、クレジットデリバティブ局１０２に上記のステップを実行させる。
【００３８】
メモリ７０４は、言及した指示を蓄積するように構成されるメインメモリからなる。一例においては、メモリ７０４は、また、一時的に指示を蓄積し、またはコンピュータシステム７００内に入力された情報を蓄積するために用いられる第２のメモリを備える。すなわち、メモリ７０４は、スクラッチメモリとしても動作する。メモリ７０４は、実施例によっては、単一のデバイスとして、または複数のデバイスとして含まれる、複数のメモリ回路から構成され得る。
【００３９】
ストレージ７０６は、実施例によっては、様々な電子媒体を収納するように構成された複数の装置を備える。例えば、一例においては、ストレージ７０６は、フロッピーディスクを収納するように構成されたフロッピードライブ、コンパクトディスクを収納するように構成されたコンパクトディスクドライブ、そして／またはデジタルビデオディスクを収納するように構成されたデジタルビデオディスクドライブを備える。別の実施例においては、ストレージ７０６は、また、分離可能なディスクドライブを持ち得るディスクドライブを備える。ストレージ７０６中に含まれるドライブは、メモリ７０４内にロードされてコンピュータシステム７００の動作をコントロールするためにプロセッサ７１０によって使用される指示が蓄積される電子媒体を収納するために用いられる。
【００４０】
ネットワークインタフェース７０８は、コンピュータシステム７００がネットワーク１０６と接続し、またはネットワーク１０６を通じて通信することを可能とする。従って、ネットワークインタフェース７０８のようなネットワークインタフェースを用いて、クレジットデリバティブ局１０２は、端末１０８と通信し得る。実施例によっては、クレジットデリバティブ局１０２は１または多数のネットワークインタフェース７０８を備える。
【００４１】
ディスプレイインタフェース７１２は、コンピュータシステム７００がディスプレイを通じて接続できるようにする。従って、一例においては、コンピュータシステム７００はディスプレイインタフェース７１２を介してユーザに情報を表示する。
【００４２】
ユーザインタフェース７１４は、ユーザがコンピュータシステム７００と接続できるようにする。従って、実施例によっては、ユーザインタフェース７１４は、マウスインタフェース、キーボードインタフェース、オーディオインタフェースなどを備え得る。
【００４３】
上記のように提供されるコンピュータシステムの一般的な記述は、例として記述しただけであり、任意の特定のコンピュータアーキテクチャまたはインプリメンテーションに対するクレジットデリバティブ局１０２のインプリメンテーションを限定することを意味するものではない。上記のプロセスと機能を実行し得る任意のアーキテクチャまたはインプリメンテーションが、ここで説明されるシステムと方法を実行するために用いられ得る。
【００４４】
一例においては、クレジットデリバティブ局１０２は、トレーダークライアントが、彼らのトレーダークライアント端末１０８を用いて、彼らがクレジットデリバティブ情報を受信したい参照組織を選択し得るように構成される。図８は、トレーダークライアントが、ここで説明されるシステムと方法の例に従って、彼らがクレジットデリバティブ局１０２からクレジットデリバティブ情報を受信したい参照組織を選択し得る方法の一例を示すフローチャートである。従って、ステップ８０２において、クレジットデリバティブ局１０２は、トレーダークライアント端末１０８から参照組織の選択を受信する。ステップ８０２において受信された参照組織の選択は、希望するクレジットデリバティブ情報についての参照組織の指定である。ステップ８０４において、クレジットデリバティブ局１０２は、どのタイプのクレジットデリバティブ情報をトレーダークライアントが受信したいかを指定するサーチクライテリアを、付随するトレーダークライアント端末１０８を介してトレーダークライアントから受信する。トレーダークライアントが受信し得るクレジットデリバティブ情報のタイプが以下により詳細に説明される。
【００４５】
ステップ８０６において、クレジットデリバティブ局１０２は、希望されたクレジットデリバティブを、ステップ８０４において受信したサーチクライテリアに基づいて、例えばデータベース１０４から取得する。ステップ８０８において、クレジットデリバティブ局１０２は、ステップ８０６において取得された情報を、付随するトレーダークライアント端末１０８上に表示させる。ステップ８０８において、一旦その情報が表示されると、そのプロセスは、ステップ８０２に戻って、クレジットデリバティブ局１０２は、新たな参照組織選択を受信し、そして／または、ステップ８０４において、新たなサーチクライテリアを受信し得る。
【００４６】
前の段落で述べたプロセスは、トレーダークライアントがそれぞれ、それらのトレーダークライアントにとって重要な参照組織についての情報を取得できるようにする。例えば、トレーダークライアントは、上記のプロセスを用いて、ある一つの参照組織についてのクレジットデリバティブ価格履歴をサーチし、そして、例えば、過去のビッドの時系列を見て、その参照組織のクレジットデリバティブについての特定の日の情報をオファーし、トレードする。トレーダークライアントは、また、上記のプロセスを用いて、特定の日の特定の参照組織のクレジットデリバティブについての１日の価格動向を取得することができる。トレーダークライアントは、また、グラフィカルな形式で表示され得る参照組織のクレジットデリバティブの価格履歴を取得し得る。トレーダークライアントは、例えば、そのような情報をその参照組織に関するクレジットデリバティブの価格傾向を追跡するために用いる。トレーダークライアントは、また、同じクレジット格付けそして／または産業の他の参照組織と対比した形で、ある参照組織についてのクレジットデリバティブの価格履歴を取得することができる。
【００４７】
さらに、トレーダークライアントは、クレジットデリバティブ局に対して提供されたサーチクライテリアの中で、公示日、取引サイズ、債務レベル、すなわち上位か下位かのレベル、ビッド、オファー、または、上記の任意の組み合わせを特定することによって、受信する情報の範囲を限定することができる。
【００４８】
従って、例えば、トレーダークライアント端末１０８を使用するトレーダークライアントは、彼らが受信したいクレジットデリバティブ情報のタイプを指定するサーチクライテリアをクレジットデリバティブ局１０２に対して提供する。そのサーチクライテリアは、トレーダークライアントがクレジットデリバティブ情報を受信したい参照組織の選択を含んでいる（ステップ８０２）。そして、トレーダークライアントは、クレジットデリバティブ局１０２に対して、どのタイプのクレジットデリバティブ情報をそのトレーダークライアントが受信したいかを指定するサーチクライテリアを提供する（ステップ８０４）。そのサーチクライテリアは、また、ステップ８０２において選択された各参照組織についての、トレーダークライアントが興味を持っているクレジットデリバティブ情報の範囲を指定する。さらに、各トレーダークライアントは、カスタムサーチクライテリアを指定して、そのサーチクライテリアに基づいて、それぞれのクレジットデリバティブ情報を受信することができる。
【００４９】
上記のプロセスによれば、トレーダークライアントは、多数の参照組織についてのクレジットデリバティブ価格履歴をサーチすることができる。その多数の参照組織は、領域、クレジット格付け、産業、または上記の任意の組み合わせに基づいて選択され得る。従って、トレーダークライアントは、いくつかの関連クライテリアに基づいて関連付けられた様々な参照組織についての価格履歴情報を取得し、比較することができる。トレーダークライアントは、また、トレーダークライアント端末１０８上へのその情報の表示方法を指定することができる。例えば、適当なサーチクライテリアを提供することによって、トレーダークライアントは、情報をグラフィカルな形式で表示するよう要求することができる。従って、例えば、トレーダークライアントは、複数の参照組織についての価格履歴情報を時間的に比較することができる。
【００５０】
別の例においては、特定の参照組織を特定するよりむしろ、トレーダークライアントは、データベース１０４中に蓄積された全ての参照組織についての価格履歴情報の参照を希望するが、例えば領域、産業またはクレジット格付けに基づくそのビューの限定を希望することを表明する。そして、クレジットデリバティブ局１０２は、関連するクレジットデリバティブ情報を取得し、それをトレーダークライアントに対して表示する。トレーダークライアントは、ある実施例においては、さらに、クレジットデリバティブ局１０２が価格が特定の期間中に上昇または下降したクレジットデリバティブについての価格履歴のみを表示するように指定することによって、クレジットデリバティブ情報のビューをカスタマイズする。あるインプリメンテーションにおいては、トレーダークライアントは、興味のある期間を指定する。言い換えると、価格動向が追跡され、トレーダークライアントに表示される関連期間は、トレーダークライアントによって、クレジットデリバティブ局１０２に対して提供されるサーチクライテリアを通じて指定され得る。
【００５１】
図１０は、トレーダークライアント端末１０８上に表示され、トレーダークライアントがサーチクライテリアを入力し、クレジットデリバティブ情報を見れるようにするスクリーンショットである。見ると、ディスプレイ１０００は、トレーダークライアントがサーチクライテリアを入力し得るサーチエリア１００２を有する。そのサーチクライテリアは、他の関連するサーチクライテリアと同様に、関係する参照組織についてのチッカーシンボル、参照組織名、トレーダークライアントが関心を持っている債務タイプを有する。クレジットデリバティブ局１０２は、サーチエリア１００２に入力されたサーチクライテリアに基づいて、データベース１０４からクレジットデリバティブ情報を取り出す。そして、クレジットデリバティブ情報は、トレーダークライアントに対して、ディスプレイ１０００のエリア１００６によって示されるように、表形式で表示される。その代わりに、クレジットデリバティブ情報は、ディスプレイ１０００中のグラフ１００４によって示されるように、グラフィカル形式で表示され得る。
【００５２】
参照組織のレジットデリバティブ情報を特定し、取得し得る機能は、トレーダークライアントが、そのポートフォリオレベル（ｐｏｒｔｆｏｌｉｏｓ  ｌｅｖｅｌ）においてクレジットデリバティブ情報が追跡されるようにしたい参照組織のポートフォリオを指定できるようにする。従って、一旦トレーダークライアントがポートフォリオを指定すると、トレーダークライアントは、そのポートフォリオ内の参照組織に関するクレジットデリバティブについての最も最近のビッド、オファー、トレード情報、最も最近の価格の日付を見ることができる。トレーダークライアントは、また、そのポートフォリオ内の各参照組織に関するクレジットデリバティブの特定の期間についての全ての価格、すなわち、ビッド、オファー、そして、トレード情報を見ることもできる。トレーダークライアントは、また、どのように各ビッド、オファーそしてトレードが変動したかを見ることができる。すなわち、そのポートフォリオに含まれる各参照組織に関するクレジットデリバティブについての価格変動量と、以前の価格の日付を見ることができる。
【００５３】
さらに、トレーダークライアントは、トレーダークライアントにより指定されたときに最も最近の対応する日付を通じてグラフ化されるポートフォリオ全体についての平均的な変動を見ることもできる。ある例においては、トレーダークライアントは、他のアプリケーションに対してポートフォリオデータをエクスポートすることさえできる。
【００５４】
別の例では、トレーダークライアントは、単にポートフォリオクライテリアをクレジットデリバティブ局１０２に対して提供することによって、参照組織のポートフォリオを自動的に生成することができる。図９は、トレーダークライアントが、ここで説明するシステムと方法の一例に従ってポートフォリオを生成するためのポートフォリオクライテリアを提供し得る方法を示すフローチャートである。ステップ９０２において、トレーダークライアントは、トレーダークライアント端末１０８を通じて、クレジットデリバティブ局１０２によって受信され得るポートフォリオクライテリアを提供する。例えば、そのポートフォリオクライテリアは、対応する参照組織についてのクレジットデリバティブを指定する領域、産業、そして／またはクレジット格付けを含んでいる。ステップ９０４において、クレジットデリバティブ局１０２は、ステップ９０２において与えられたポートフォリオクライテリアに基づいて、そのポートフォリオに含まれる参照組織をデータベース１０４から選択する。一例においては、クレジットデリバティブ局１０２は、ポートフォリオの平均格付けが最大となるポートフォリオに含まれるクレジットデリバティブを選択するように構成されている。言い換えると、クレジットデリバティブ局１０２は、ステップ９０２において提供された、ユーザにより指定されたクライテリアに基づいて、ポートフォリオを最適化するように構成し得る。そのポートフォリオは、平均格付け以外の別の要素に基づいて最適化され得る。例えば、ポートフォリオは、ダイバーシティについてのみ最適化され、または、平均格付けについての最適化と組み合わせられる。
【００５５】
ステップ９０６において、クレジットデリバティブ局１０２は、ポートフォリオを生成し、ステップ９０８において、そのポートフォリオ内の各参照組織についてのクレジットデリバティブ情報をトレーダークライアントに対して表示する。ある実施例においては、トレーダークライアントは、ステップ９１０によって示されるように、ポートフォリオに含まれることとなる新たな参照組織を選択する。ステップ９１０において、新たな参照組織が選択されると、ステップ９１２において、クレジットデリバティブ局１０２は、その新たに選択された参照組織に基づいてポートフォリオをアップデートし、そのアップデートされた情報をトレーダークライアントに表示する。
【００５６】
一例においては、クレジットデリバティブ局は、継続的にデータベース１０４中の情報をサーチして、全体の最適化を進めるような参照組織を、もしそのポートフォリオに含まれているなら見つける。そして、トレーダークライアントは、任意のそのような参照組織をそのポートフォリオ内に含めるか否かを選択する機会を与えられる（ステップ９１０）。一例においては、新たな参照組織がポートフォリオに追加されると、それに応じて一つの参照組織がそのポートフォリオから落ちる。従って、一例においては、ステップ９１０における新たな参照組織の選択は、そのポートフォリオ内に一つの参照組織を含ませ、別の参照組織を除くという選択を含む。別の例においては、ステップ９１０は、単に、トレーダークライアントが対応する参照組織をそのポートフォリオに追加することなく、そのポートフォリオから落とされる参照組織を選択することからなる。
【００５７】
図１１は、トレーダークライアントにポートフォリオ最適化情報を提供するディスプレイ１１００の例のスクリーンショットを示す。ディスプレイ１１００は、トレーダークライアントに、任意の最適化情報とともにポートフォリオ名を表示するエリア１１０２を有する。この最適化情報は、そのポートフォリオ内に含まれる参照組織の総数、そのポートフォリオ内の参照組織のクレジットデリバティブについての平均スプレッド、そのポートフォリオに含まれている参照組織の地域分類と同様に、そのポートフォリオがどのくらい異なっているかを示す、ダイバーシティスコアを含んでいる。さらに、各参照組織それぞれの情報もまたディスプレイ１１００のエリア１１０４中においてトレーダークライアントに対して表示される。従って、トレーダークライアントは、そのポートフォリオに含まれる参照組織を通じてスクロールして、各参照組織についてのクレジットデリバティブ情報を見ることができる。
【００５８】
システム１００は、また、トレーダークライアントが複数のポートフォリオについての情報を管理できるように構成され得る。例えば、図１２は、トレーダークライアントが複数のポートフォリオの中をナビゲートし得るディスプレイ１２００を示している。ディスプレイ１２００は、トレーダークライアントが、ポートフォリオ情報を見たいポートフォリオを選択できるようにする、ポートフォリオナビゲーションエリア１２０２を有する。ポートフォリオナビゲーションエリア１２０２は、選択されたポートフォリオについてのポートフォリオベースの情報をトレーダークライアントに対して表示するように構成されている。さらに、選択されたポートフォリオ中に含まれるそれぞれの参照組織についてのクレジットデリバティブ情報が、ディスプレイ１２００のエリア１２０４中に表示される。
【００５９】
システム１００は、トレーダークライアントが様々なリポートを選択し、生成することができるように構成され得る。図１３は、トレーダークライアントがナビゲートでき、利用可能なリポートを選択し得る、ディスプレイ１３００の例を示すスクリーンショットである。ディスプレイ１３００は、トレーダークライアントがそのトレーダークライアントが希望するリポートを選択し得るリポートエリア１３０２を有する。その選択に基づいて、クレジットデリバティブ局１０２は、データベース１０４から必要なクレジットデリバティブ情報を取得し、選択されたリポートを生成する。そして、トレーダークライアントは、彼らのトレーダークライアント端末１０８上においてリポートを見ることができる。ある例においては、トレーダークライアントは、そのリポートをプリントアウトし、別のアプリケーションに向け、またはエクスポートすることができる。そのリポートは、それぞれの、または選択された参照組織に関するものでもよく、または、参照組織のポートフォリオに関するものでもよい。
【００６０】
１または複数の参照組織についてのクレジットデリバティブ情報を特定し、受信し得る機能は、ここで説明した別の機能がシステム１００に含まれているか否かによらず実装され得る。同様に、ポートフォリオベースのクレジットデリバティブ情報を指定し追跡する機能もまた、ここで説明した別の機能がシステム１００に含まれているか否かによらず実装され得る。従って、上記の実施例は、特定の機能の組み合わせを必要とするように理解されるべきでない。
【００６１】
発明のある実施例が上述されたが、説明された実施例は、例としてのみ説明されたことが理解される。従って、その発明は、説明された実施例に基づいて限定されるべきではない。ここで説明した発明の範囲は、上記の説明と添付する図面とを考慮した場合の、以下のクレームに照らしてのみ限定される。
【００６２】
発明の特徴、側面、そして実施例は、添付する図面に関連して説明される。
【図面の簡単な説明】
【００６３】
【図１】本発明の一実施例に従うクレジットデリバティブトレーディングシステムの例を示す図である。
【図２】本発明の一実施例に従う図１のシステムにおけるクレジットデリバティブの取引方法の例を示すフローチャートである。
【図３】本発明の一実施例に従う図１のシステムにおいてレスポンシブポジションを受信する方法の例を示すフローチャートである。
【図４】本発明の一実施例に従う図１のシステムにおいて、取引の希望の指示を受信する方法の例を示すフローチャートである。
【図５】本発明の一実施例に従う図１のシステムが備える端末におけるクレジットデリバティブ情報の表示を示すスクリーンショットである。
【図６】本発明の一実施例に従う図１のシステムが備える端末における、クレジットデリバティブ情報履歴の表示を示すスクリーンショットである。
【図７】図１のシステムが備えるコンピュータシステムの例を示す論理ブロック図である。
【図８】本発明の一実施例に従う、トレーダークライアント（ｔｒａｄｅｒ  ｃｌｉｅｎｔ）が、クレジットデリバティブ情報を受信したい参照組織を選択する方法の例を示すフローチャートである。
【図９】本発明の一実施例に従う、トレーダークライアントが、ポートフォリオを生成するためのポートフォリオクライテリアを提供し得る方法を示すフローチャートである。
【図１０】本発明の一実施例に従う、図１のシステムが備えるトレーダークライアント端末上に表示され、トレーダークライアントがサーチクライテリアを入力し、クレジットデリバティブ情報を見ることができるようにし得る表示を示すスクリーンショットである。
【図１１】本発明の一実施例に従う、図１のシステムが備えるトレーダークライアント端末上に表示され、トレーダークライアントにポートフォリオ最適化情報を提供する表示の例を示すスクリーンショットである。
【図１２】本発明の一実施例に従う、図１のシステムが備えるトレーダークライアント端末上に表示され、トレーダークライアントが複数のポートフォリオの中をナビゲートし得るディスプレイの例を示すスクリーンショットである。
【図１３】本発明の一実施例に従う、図１のシステムが備えるトレーダークライアント端末上に表示され、トレーダークライアントがそれを通じてナビゲートでき、そして、利用可能なリポートを選択し得るディスプレイの例を示すスクリーンショットである。
【図１】
2006515697.tif 000003
【図２】
2006515697.tif 000004
【図３】
2006515697.tif 000005
【図４】
2006515697.tif 000006
【図５】
2006515697.tif 000007
【図６】
2006515697.tif 000008
【図７】
2006515697.tif 000009
【図８】
2006515697.tif 000010
【図９】
2006515697.tif 000011
【図１０】
2006515697.tif 000012
【図１１】
2006515697.tif 000013
【図１２】
2006515697.tif 000014
【図１３】
2006515697.tif 000015